(57)【要約】      （修正有）【課題】筒状の透明ケース内に複数の縦長矩形状の太陽電池パネルを立設収容し、組立性の向上を図った自発光式視線誘導灯を提供する。【解決手段】筒状の透明ケース１０と、複数のＬＥＤを有するＬＥＤ発光体１３と、複数の縦長略矩形状の太陽電池パネル１４と、太陽電池パネル１４やＬＥＤ発光体１３など二つのモジュールの側縁部相互を連結支持する複数の支柱と、支柱の上端に連結され且つモジュールの上縁部を支持する上端板１８と、支柱の下端に連結され且つモジュールの下縁部を支持する下端板１９とを備え、太陽電池パネル１４は、受光面が外周向きとなる姿勢で透明ケース内に立設され、支柱本体に上端板１８および下端板１９を接続するための接続部と、太陽電池パネル１４の裏側面を支持する裏側支持片とが設けられ、支柱外枠に太陽電池パネル１４の表側面を支持する表側支持片が設けられた。【選択図】図２
0003179145.tif 000002
【実用新案登録請求の範囲】
【請求項１】
道路の中央分離帯や路肩等に設置して発光することにより車両運転者や歩行者等の視線を誘導する自発光式視線誘導灯であって、
筒状の透明ケースと、複数のＬＥＤを有するＬＥＤ発光体と、複数の縦長略矩形状の太陽電池パネルと、前記太陽電池パネルやＬＥＤ発光体など二つのモジュールの側縁部相互を連結支持する複数の支柱と、支柱の上端に連結され且つ前記モジュールの上縁部を支持する上端板と、支柱の下端に連結され且つ前記モジュールの下縁部を支持する下端板とを備え、
前記太陽電池パネルは、表側面の受光面が外周向きとなる姿勢で透明ケース内に立設され、
前記支柱は、硬質材料で形成された支柱本体と、軟質材料で形成された支柱外枠とからなり、前記支柱本体に、上端板および下端板を接続するための接続部と、太陽電池パネルの裏側面を支持する裏側支持片とが設けられ、前記支柱外枠に、太陽電池パネルの表側面を支持する表側支持片が設けられた、自発光式視線誘導灯。
【請求項２】
請求項１に記載の自発光式視線誘導灯において、
前記ＬＥＤ発光体は、ＬＥＤの配設された表側面が外周向きとなる姿勢で透明ケース内に立設され、
前記支柱本体に、ＬＥＤ発光体の裏側面を支持する裏側支持片が設けられ、前記支柱外枠に、ＬＥＤ発光体の表側面を支持する表側支持片が設けられた、自発光式視線誘導灯。
【請求項３】
請求項１または２に記載の自発光式視線誘導灯において、
前記支柱本体と支柱外枠とが一体成形された、自発光式視線誘導灯。
【請求項４】
請求項１から３のいずれかに記載の自発光式視線誘導灯において、
前記表側支持片の太陽電池パネルとの対向部に、その全長に亘って突出部が設けられた、自発光式視線誘導灯。
【考案の詳細な説明】
【技術分野】
【０００１】
本考案は、道路の中央分離帯や路肩等に設置され、発光することにより車両運転者や歩行者等の視線を誘導する自発光式視線誘導灯に関する。
【背景技術】
【０００２】
道路の中央分離帯や路肩等に立設して使用される従来の自発光式視線誘導灯において、図７に示すように、縦長筒状の透明ケース６０内に複数の縦長矩形状の太陽電池パネル６４が立設収容され、この太陽電池パネル６４で発電された電気を蓄電体６５に蓄電し、その蓄電された電気によってＬＥＤ発光体６３に設けられた複数のＬＥＤ６３０を点灯させるように構成されたものが知られている（例えば、特許文献１および２参照）。
【先行技術文献】
【特許文献】
【０００３】
【特許文献１】実用新案登録第３１３９５９１号公報
【特許文献２】実用新案登録第３１６５９１６号公報
【考案の概要】
【考案が解決しようとする課題】
【０００４】
ところが、上記従来の自発光式視線誘導灯６では、図８に示すように、ＬＥＤ発光体６３の上下端にそれぞれパネル受け６１２，６２２が取り付けられ、それらパネル受け６１２，６２２が一対の縦長の支え板６６で挟持固定され、さらにその支え板６６の上下端がトップカバー６１の下蓋６１１およびベース６２の上蓋６２１に各別に連結されている。
【０００５】
また、透明ケース６０は、前後一対のコ字状ケース半体６０１と、左右一対の円弧状ケース半体６０２とからなり、上記支え板６６に支持されたＬＥＤ発光体６３は、このコ字状ケース半体６０１によって前後から挟まれるようにして覆われている。そして、このコ字状ケース半体６０１の左右の側片６０４の外側面に太陽電池パネル６４が取り付けられ、さらにその側片６０４の外側面に上記円弧状ケース半体６０２が太陽電池パネル６４を覆うように取り付けられている。そのため、組立工程が比較的複雑であった。
【０００６】
本考案は、上述の事情に鑑みてなされたものであり、その目的は、筒状の透明ケース内に複数の縦長矩形状の太陽電池パネルを立設収容した自発光式視線誘導灯において、組立性の向上を図ることにある。
【課題を解決するための手段】
【０００７】
本考案に係る自発光式視線誘導灯は、道路の中央分離帯や路肩等に設置して発光することにより車両運転者や歩行者等の視線を誘導する自発光式視線誘導灯であって、筒状の透明ケースと、複数のＬＥＤを有するＬＥＤ発光体と、複数の縦長略矩形状の太陽電池パネルと、前記太陽電池パネルやＬＥＤ発光体など二つのモジュールの側縁部相互を連結支持する複数の支柱と、支柱の上端に連結され且つ前記モジュールの上縁部を支持する上端板と、支柱の下端に連結され且つ前記モジュールの下縁部を支持する下端板とを備え、前記太陽電池パネルは、表側面の受光面が外周向きとなる姿勢で透明ケース内に立設され、前記支柱は、硬質材料で形成された支柱本体と、軟質材料で形成された支柱外枠とからなり、前記支柱本体に、上端板および下端板を接続するための接続部と、太陽電池パネルの裏側面を支持する裏側支持片とが設けられ、前記支柱外枠に、太陽電池パネルの表側面を支持する表側支持片が設けられたものである。
【０００８】
このものでは、二つの太陽電池パネルの側縁部相互を支柱によって連結支持し、さらにそれら太陽電池パネルの上縁部を上端板によって支持した状態でその上端板と支柱とを連結する一方、太陽電池パネルの下縁部を下端板によって支持した状態でその下端板と支柱とを連結することで、透明ケース内に複数の太陽電池パネルが一つのユニットとして構成されるので、比較的容易に自発光式視線誘導灯を組み立てることができる。
【０００９】
さらに、このものでは、硬質材料で形成された支柱本体に上端板および下端板を接続するための接続部が設けられているので、組み立ての際に、上端板および下端板を支柱に対して確実に固定することができる。
【００１０】
また、このものでは、硬質材料で形成された裏側支持片と、軟質材料で形成された表側支持片とで、太陽電池パネルがその表裏から挟みつけるように支持されるので、組み立ての際に、太陽電池パネルを支柱に対して容易且つ確実に支持させることができるし、太陽電池パネルに加わった不要な負荷を表側支持片の弾性によって吸収し、太陽電池パネルの破損を防止することもできる。
【００１１】
上記自発光式視線誘導灯において、前記ＬＥＤ発光体は、ＬＥＤの配設された表側面が外周向きとなる姿勢で透明ケース内に立設され、前記支柱本体に、ＬＥＤ発光体の裏側面を支持する裏側支持片が設けられ、前記支柱外枠に、ＬＥＤ発光体の表側面を支持する表側支持片が設けられたものとすることができる。
【００１２】
このものでは、ＬＥＤ発光体および太陽電池パネルの側縁部相互を支柱によって連結支持し、さらにそれらＬＥＤ発光体および太陽電池パネルの上縁部を上端板によって支持した状態でその上端板と支柱とを連結する一方、ＬＥＤ発光体および太陽電池パネルの下縁部を下端板によって支持した状態でその下端板と支柱とを連結することで、透明ケース内にＬＥＤ発光体が複数の太陽電池パネルと共に一つのユニットとして構成されるので、一層容易に自発光式視線誘導灯を組み立てることができる。
【００１３】
また、このものでは、硬質材料で形成された裏側支持片と、軟質材料で形成された表側支持片とで、ＬＥＤ発光体がその表裏から挟みつけるように支持されるので、組み立ての際に、ＬＥＤ発光体を支柱に対して容易且つ確実に支持させることができるし、ＬＥＤ発光体に加わった不要な負荷を表側支持片の弾性によって吸収し、ＬＥＤ発光体の破損を防止することもできる。
【００１４】
上記自発光式視線誘導灯において、前記支柱本体と支柱外枠とが一体成形されたものであるのが望ましい。
【００１５】
硬質材料で形成された支柱本体と軟質材料で形成された支柱外枠とを別体で構成した場合、支柱本体に支柱外枠を組み付ける工程、或いは、支柱本体と支柱外枠とを別々に上端板および下端板に組み付ける工程が必要となるが、このものでは、そのような手間がかからない。従って、より少ない工数で自発光式視線誘導灯を組み立てることができる。
【００１６】
上記自発光式視線誘導灯において、前記表側支持片の太陽電池パネルとの対向部に、その全長に亘って突出部が設けられたものであるのが望ましい。
【００１７】
このものでは、表側支持片の弾性力によってその表側支持片に設けられた突出部が太陽電池パネルの表側面へ押圧状態で当接されるから、太陽電池パネルの端面を介してその内部へ水が浸入し難い。これにより、太陽電池パネル内部の金属電極の錆や腐食を効果的に防止できる。
【考案の効果】
【００１８】
以上のように、本考案によれば、筒状の透明ケース内に複数の縦長矩形状の太陽電池パネルを立設収容した自発光式視線誘導灯において、組立性の向上を図ることができる。
【図面の簡単な説明】
【００１９】
【図１】本考案の実施の形態に係る自発光式視線誘導灯の斜視図である。
【図２】本考案の実施の形態に係る自発光式視線誘導灯の分解斜視図である。
【図３】本考案の実施の形態に係る自発光式視線誘導灯の側面視縦断面概略図である。
【図４】本考案の実施の形態に係る自発光式視線誘導灯のキャップの底面図である。
【図５】本考案の実施の形態に係る自発光式視線誘導灯の平面視横断面概略図である。
【図６】本考案の実施の形態に係る自発光式視線誘導灯の支柱の平面視横断面図である。
【図７】従来の自発光式視線誘導灯の斜視図である。
【図８】従来の自発光式視線誘導灯の分解斜視図である。
【考案を実施するための形態】
【００２０】
次に、上記した本考案を実施するための形態について、添付図面を参照しながら詳述する。
【００２１】
図１から図３に示すように、本考案の実施の形態に係る自発光式視線誘導灯１は、道路の中央分離帯や路肩等に立設される鋼管製のポール５の上端に取り付けて使用されるものであって、縦長円筒状の透明ケース１０と、透明ケース１０の上端を覆う円筒状のトップカバー１１と、透明ケース１０の下端を支持する円筒状のベース１２とでその外郭が構成されている。また、透明ケース１０内には、表側面に複数のＬＥＤ（発光ダイオード）１３０を有する一つの縦長略矩形平板状のＬＥＤ発光体１３と、二つの縦長略矩形平板状の太陽電池パネル１４とが組み込まれている。さらに、ベース１２の下部（ポール５の内部空間）には、太陽電池パネル１４で発電された電気を蓄電し、その蓄電された電気を後述する制御回路基板２１を介して上記ＬＥＤ１３０へ供給する蓄電体１５が配設されている。尚、この蓄電体１５には、電気二重層コンデンサ、鉛蓄電池、リチウム電池、マンガン電池等が採用される。
【００２２】
ＬＥＤ発光体１３は、その表側面（ＬＥＤ１３０の配設された面）が透明ケース１０の外周向きとなる姿勢で、また、太陽電池パネル１４は、その表側面の受光面１４０が透明ケース１０の外周向きとなる姿勢で、それらＬＥＤ発光体１３および太陽電池パネル１４の各モジュールの側縁部相互を突き合わせるようにして三角形状に配置されている。このように、透明ケース１０内に太陽電池パネル１４を立設したことで、太陽電池パネル１４の表面に雪やごみが堆積し難い。また、太陽電池パネル１４を三角形状に配置したことで、単数の太陽電池パネルで発電するものに比べて、太陽光の受光面積が広くなるし、受光時間も長くなる。従って、太陽電池パネル１４の発電性能を十分に発揮できる。
【００２３】
ＬＥＤ発光体１３および太陽電池パネル１４の各側縁部相互は、透明ケース１０の略全長に亘って延設された第１の支柱１６および第２の支柱１７によって連結支持されている。さらに、第１の支柱１６および第２の支柱１７の上端には、ＬＥＤ発光体１３および太陽電池パネル１４の各上縁部を共に支持する略三角板状の上端板１８がねじ留め固定されている一方、第１の支柱１６および第２の支柱１７の下端には、ＬＥＤ発光体１３および太陽電池パネル１４の各下縁部を共に支持する略三角板状の下端板１９がねじ留め固定されており、これらＬＥＤ発光体１３、太陽電池パネル１４、第１の支柱１６、第２の支柱１７、上端板１８および下端板１９によって略三角柱状の内部ユニット２０が構成されている。
【００２４】
上端板１８の下面には、その各外側辺に沿って一対の上支持片１８１が所定の間隔をもって平行に立設されており、この上支持片１８１にＬＥＤ発光体１３および太陽電池パネル１４の各上縁部が挟持されている。また、下端板１９の上面には、その各外側辺に沿って一対の下支持片１９１が所定の間隔をもって平行に立設されており、この下支持片１９１にＬＥＤ発光体１３および太陽電池パネル１４の各下縁部が挟持されている。
【００２５】
ＬＥＤ発光体１３の表側面の縦中心線上には、透明ケース１０の外周側へ向かって凸の横断面略逆台形状のＬＥＤ取付台１３１が設けられており、ＬＥＤ１３０は、このＬＥＤ取付台１３１の前面に縦並びで直線状に且つ等間隔で配設されている。従って、点灯した際には、それらＬＥＤ１３０が縦長のライン状に発光し、遠目でも視認性が良い。また、ＬＥＤ発光体１３の表側面よりもさらに前方（透明ケース１０の外周側）の位置にＬＥＤ１３０が配設されているから、より広範囲でそのＬＥＤ１３０の発光を視認できる。
【００２６】
透明ケース１０は、ポリカーボネート樹脂により継ぎ目のない円筒状に押出成形されたものであり、その上端にトップカバー１１が取り付けられ、下端がベース１２の上面に連結固定される。尚、透明ケース１０は、所望の透明性および強度を確保することができれば、アクリル樹脂やガラスにより成形されてもよい。
【００２７】
透明ケース１０の外表面は、酸化チタン含有の透明薄膜でコーティングされており、酸化チタンが太陽光等の光を受けて活性化することによって、その外表面の親水性が高められる。従って、透明ケース１０の外表面に雨水等が付着した場合、その水が膜状に広がって汚れを付着し難くする。また、たとえ透明ケース１０の外表面に汚れが付着したとしても、その汚れは活性化された酸化チタンの酸化力によって分解され、降雨や清掃の際に容易に洗い流される。これにより、太陽光が太陽電池パネル１４へ安定して照射されるから、太陽電池パネル１４の発電性能を効果的に発揮することができる。また、点灯させた際に、ＬＥＤ１３０の光が透明ケース１０外へ確実に放射されるから、車両運転者等の良好な視認性も長期に亘って維持することができる。
【００２８】
透明ケース１０の内表面は、結露防止効果の高い透明薄膜でコーティングされており、その内表面の結露による曇りが防止される。これにより、太陽光が太陽電池パネル１４へ一層安定して照射されるから、太陽電池パネル１４の発電性能を効果的に発揮することができる。また、点灯させた際に、ＬＥＤ発光体１３に配設されたＬＥＤ１３０の光が透明ケース１０外へ確実に放射されるから、車両運転者等の良好な視認性も長期に亘って維持することができる。
【００２９】
トップカバー１１の上面は、上方へ膨出する円形ドーム状に形成されており、その頂部中央には、円形の通気孔１１Ｂが開設されている。このように、円形ドーム状に形成されたトップカバー１１上面の頂部中央に通気孔１１Ｂを設けたことで、透明ケース１０内を上昇する空気がその通気孔１１Ｂへ集中し、自発光式視線誘導灯１の外部へ排出され易い。よって、透明ケース１０内に結露が生じ難い。また、自発光式視線誘導灯１にかかった雨や水しぶきがトップカバー１１の上面を伝って通気孔１１へ到達し難い。尚、図示しないが、通気孔１１Ｂは、透明ケース１０内への虫や埃等の侵入を防止するための網状部材で覆われている。また、トップカバー１１の上面には、上方へ膨出する円形ドーム状のキャップ１１０がねじ留め固定されており、上記通気孔１１Ｂをその上方から覆っている。
【００３０】
トップカバー１１の下面には、略円板状の下蓋１１１が設けられている。この下蓋１１１の中央部には、円形の通気孔１１Ａが開設されており、透明ケース１０内の空気は、この通気孔１１Ａを通じてトップカバー１１の通気孔１１Ｂへ導かれる。また、トップカバー１１の内側で且つ通気孔１１Ｂの下方には、矩形箱状の基板ケース１１２がねじ留め固定されており、さらにその基板ケース１１２の内側には、ＬＥＤ１３０の点消灯動作を制御する制御回路基板２１がねじ留め固定されている。ＬＥＤ１３０および蓄電体１５は、この制御回路基板２１に図示しない電気配線を通じて接続されている。
【００３１】
図４に示すように、キャップ１１０の裏面には、ねじ孔を有する複数のねじ留め用ボス１１３が設けられており、このねじ留め用ボス１１３に図示しないねじをトップカバー１１の裏側から螺合接続させることにより、キャップ１１０をトップカバー１１に固定している。また、キャップ１１０の裏面には、その外周縁に沿って複数の円弧状の第１リブ１１４が所定の間隔をもって環状に並設されており、さらにその第１リブ１１４の内側（キャップ１１０の中心側）には、上記外周縁側へ向かって凹となるように複数の円弧状の第２リブ１１５が所定の間隔をもって並設されている。また、第２リブ１１５の内側（キャップ１１０の中心側）には、前記外周縁側へ向かって凹となるように複数の円弧状の第３リブ１１６が所定の間隔をもって並設され、さらにその第３リブ１１６の内側（キャップ１１０の中心側）には、前記外周縁側へ向かって凹となるように複数の円弧状の第４リブ１１７が所定の間隔をもって並設されている。
【００３２】
第１リブ１１４は、所定の間隔毎に上記外周縁に沿って配設された第１の環状リブ群を構成し、第２リブ１１５は、その第１の環状リブ群の内側であって、隣り合う第１リブ１１４相互間に対向する各位置に配設された第２の環状リブ群を構成している。第３リブ１１６は、その第２の環状リブ群の内側であって、一つおきに位置する第２リブ１１５に対向する各位置に配設された第３の環状リブ群を構成している。第４リブ１１７は、その第３の環状リブ群の内側であって、隣り合う第３リブ１１６相互間に対向する各位置に配設された第４の環状リブ群を構成しており、上述したトップカバー１１の通気孔１１Ｂの外周は、この第４の環状リブ群で囲まれている。従って、暴風に乗った横殴りの雨や自動車走行に伴う横からの水しぶきが自発光式視線誘導灯１にかかっても、通気孔１１までは直接的に到達しない。
【００３３】
これらリブ１１４〜１１７の下端は、図示しないねじをトップカバー１１の裏側からねじ留め用ボス１１３に螺合接続させた状態においてトップカバー１１の上面に当接し、トップカバー１１の上面とキャップ１２の下面との間に空気の流通が可能な所定の間隙１１Ｃ（図３参照）を形成している。従って、透明ケース１０内の空気は、通気孔１１Ａ，１１Ｂを通ってこの間隙１１Ａから自発光式視線誘導灯１の外部へ排出される。
【００３４】
図２および図３に示すように、上記内部ユニット２０は、トップカバー１１の下蓋１１１とベース１２の上板１２１との間にロングボルト２２およびナット２３を用いて立設固定される。詳述すると、内部ユニット２０の上端板１８および下端板１９には、それぞれ複数の貫通孔３１が設けられており、この上端板１８の貫通孔３１から下端板１９の貫通孔３１へロングボルト２２を挿通させ、さらにそのロングボルト２２の下端をベース１２の上板１２１にナット２３で固定させる一方、ロングボルト２２の上端をトップカバー１１の下蓋１１１に一対のナット２３で固定させる。
【００３５】
図５および図６に示すように、第１の支柱１６は、横断面略Ｖ字状の支柱本体１６Ａと、横断面略Ｗ字状の支柱外枠１６Ｂとを、前後（透明ケース１０の内外方向）に並べた態様で押出一体成形したものであり、その支柱本体１６Ａは、アクリルニトリルブタジエン樹脂やポリスチレン樹脂等の硬質材料で形成され、支柱外枠１６Ｂは、オレフィン系エラストマー樹脂やポリ塩化ビニル樹脂等の軟質材料で形成されている。
【００３６】
支柱本体１６Ａは、突き合わせになった二つの太陽電池パネル１４の側縁部に沿って介装されており、その略中心部には、上端板１８および下端板１９をねじ留め固定するための接続部として円形の中空部１６１がその全長に亘って形成されている。また、支柱本体１６Ａの側面部（中空部１６１の外周側）には、太陽電池パネル１４の裏側面に沿って延出する一対の裏側支持片１６２がその全長に亘って形成されている。
【００３７】
支柱外枠１６Ｂは、突き合わせになった二つの太陽電池パネル１４の側縁部相互の間隙をその全長に亘って透明ケース１０の外周側から覆うように構成されており、その両側端部（以下、「表側支持片」という）１６３は、上記裏側支持片１６２と略平行に太陽電池パネル１４の表側面に沿って延出し、その表側面に当接して太陽電池パネル１４の側端面をシールしている。太陽電池パネル１４の周端面は、その内部への水の浸入を防止するために防水コーティングされているが、この表側支持片１６３により、太陽電池パネル１４の側端面からその内部への水の浸入がより確実に防止される。従って、太陽電池パネル１４内部に配設された太陽電池セルの金属電極の錆や腐食を効果的に防止できる。
【００３８】
さらに、表側支持片１６３の先端の太陽電池パネル１４との対向部には、その全長に亘って横断面半円凸状の突出部１６４が形成されており、この突出部１６４が表側支持片１６３の弾性力によって太陽電池パネル１４の表側面へ押圧状態で当接している。これにより、太陽電池パネル１４の端面を介してその内部へ水が一層浸入し難く、上記太陽電池セルの金属電極の錆や腐食をより効果的に防止できる。
【００３９】
第２の支柱１７は、第１の支柱１７と同様、横断面略Ｖ字状の支柱本体１７Ａと、横断面略Ｗ字状の支柱外枠１７Ｂとを、前後（透明ケース１０の内外方向）に並べた態様で押出一体成形したものであり、その支柱本体１７Ａは、アクリルニトリルブタジエン樹脂やポリスチレン樹脂等の硬質材料で形成され、支柱外枠１７Ｂは、オレフィン系エラストマー樹脂やポリ塩化ビニル樹脂等の軟質材料で形成されている。
【００４０】
支柱本体１７Ａは、突き合わせになったＬＥＤ発光体１３および太陽電池パネル１４の側縁部に沿って介装されており、その略中心部には、上端板１８および下端板１９をねじ留め固定するための接続部として円形の中空部１７１がその全長に亘って形成されている。また、支柱本体１７Ａの側面部（中空部１７１の外周側）には、ＬＥＤ発光体１３および太陽電池パネル１４の各裏側面に沿って延出する一対の裏側支持片１７２がその全長に亘って形成されている。
【００４１】
支柱外枠１７Ｂは、突き合わせになったＬＥＤ発光体１３および太陽電池パネル１４の側縁部相互の間隙をその全長に亘って透明ケース１０の外周側から覆うように構成されており、その両側端部（以下、「表側支持片」という）１７３は、上記裏側支持片１７２と略平行にＬＥＤ発光体１３および太陽電池パネル１４の表側面に沿って各別に延出している。また、表側支持片１７３の先端のＬＥＤ発光体１３側或いは太陽電池パネル１４側には、その全長に亘って半円状の突出部１７４が形成されており、この突出部１７４が表側支持片１７３の弾性力によってＬＥＤ発光体１３の表側面或いは太陽電池パネル１４の表側面へ押圧状態で当接している。これにより、ＬＥＤ発光体１３の後面側へ水が浸入し難く、その後面側の金属部の錆や腐食を効果的に防止できる。また、上述した第１の支柱１６と同様、太陽電池セルの金属電極の錆や腐食も効果的に防止できる。
【００４２】
上記自発光式視線誘導灯１によれば、二つの太陽電池パネル１４の側縁部相互を第１の支柱１６によって連結支持させると共に、ＬＥＤ発光体１３および太陽電池パネル１４の側縁部相互を第２の支柱１７によって連結支持させ、それらＬＥＤ発光体１３および太陽電池パネル１４の各上縁部を上端板１８によって支持させた状態でその上端板１８と各支柱１６，１７とを連結し、さらにＬＥＤ発光体１３および太陽電池パネル１４の各下縁部を下端板１９によって支持させた状態でその下端板１９と各支柱１６，１７とを連結することで、透明ケース１０内にＬＥＤ発光体１３および複数の太陽電池パネル１４が一つの内部ユニット２０として構成されるので、比較的少ない工数で容易に自発光式視線誘導灯１を組み立てることができる。よって、組立性が良好である。
【００４３】
さらに、このものでは、硬質材料で形成された支柱本体１６Ａ，１７Ａの中空部１６１，１７１に上端板１８および下端板１９がねじ留め固定されるので、上記内部ユニット２０を組み立てる際に、上端板１８および下端板１９を各支柱１６，１７に対して確実に取り付けることができる。
【００４４】
また、このものでは、硬質材料で形成された裏側支持片１６２，１７２と、軟質材料で形成された表側支持片１６３，１７３とで、ＬＥＤ発光体１３および太陽電池パネル１４がそれぞれその表裏から挟みつけるように支持されるので、上記内部ユニット２０を組み立てる際に、ＬＥＤ発光体１３および太陽電池パネル１４を各支柱１６，１７に対して容易且つ確実に支持させることができるし、ＬＥＤ発光体１３や太陽電池パネル１４に加わった不要な負荷を表側支持片１６３，１７３の弾性によって吸収し、それらＬＥＤ発光体１３や太陽電池パネル１４の破損を防止することもできる。よって、組立性が一層良好である。
【００４５】
また、このものでは、支柱本体１６Ａ，１７Ａと支柱外枠１６Ｂ，１７Ｂとが一体成形されているから、支柱本体１６Ａ，１７Ａに支柱外枠１６Ｂ，１７Ｂを組み付けたり、支柱本体１６Ａ，１７Ａと支柱外枠１６Ｂ，１７Ｂとを別々に上端板１８および下端板１９に組み付けたりする手間がかからない。従って、より少ない工数で組み立てることができる。よって、組立性がより一層良好である。
【００４６】
尚、上記実施の形態では、ＬＥＤ発光体１３と太陽電池パネル１４とを一つのユニットとして透明ケース内１０に組み込んだものを説明したが、ＬＥＤ発光体１３が透明ケース１０の外部（例えば、トップカバー１１の外周）に設けられ、透明ケース１０内には、複数の太陽電池パネル１４がその受光面１４０を透明ケース１０の外周向きとした姿勢で、それら各側縁部相互を突き合わせるようにして配置されたものであってもよい。
【００４７】
このものでは、二つの太陽電池パネル１４の側縁部相互を第１の支柱１６によって連結支持させ、それら太陽電池パネル１４の各上縁部を上端板１８によって支持させた状態でその上端板１８と第１の支柱１６とを連結し、さらに太陽電池パネル１４の各下縁部を下端板１９によって支持させた状態でその下端板１９と第１の支柱１６とを連結することで、透明ケース１０内に複数の太陽電池パネル１４が一つの太陽電池ユニットとして構成されるので、比較的少ない工数で容易に自発光式視線誘導灯１を組み立てることができる。よって、組立性が良好である。
【００４８】
さらに、このものでは、硬質材料で形成された支柱本体１６Ａの中空部１６１に上端板１８および下端板１９がねじ留め固定されるので、上記太陽電池ユニットを組み立てる際に、上端板１８および下端板１９を第１の支柱１６に対して確実に取り付けることができる。
【００４９】
また、このものでは、硬質材料で形成された裏側支持片１６２と、軟質材料で形成された表側支持片１６３とで、太陽電池パネル１４がその表裏から挟みつけるように支持されるので、上記太陽電池ユニットを組み立てる際に、太陽電池パネル１４を第１の支柱１６に対して容易且つ確実に支持させることができるし、太陽電池パネル１４に加わった不要な負荷を表側支持片１６３の弾性によって吸収し、太陽電池パネル１４の破損を防止することもできる。よって、組立性が一層良好である。
【００５０】
また、上記実施の形態では、透明ケース１０内に一つのＬＥＤ発光体１３と二つの太陽電池パネル１４とが三角形状に配置されたものを説明したが、透明ケース１０内に組み込まれるＬＥＤ発光体１３または太陽電池パネル１４の数が上記実施の形態よりも多く、それらＬＥＤ発光体１３および太陽電池パネル１４が四角形状や六角形状等、三角形状以外の多角形状に配置されたものであってもよい。
【符号の説明】
【００５１】
１      自発光式視線誘導灯
１０    透明ケース
１１    トップカバー
１２    ベース
１３    ＬＥＤ発光体
１３０  ＬＥＤ
１４    太陽電池パネル
１４０  受光面
１５    蓄電体
１６    第１の支柱
１７    第２の支柱
１６Ａ，１７Ａ  支柱本体
１６Ｂ，１７Ｂ  支柱外枠
１６２，１７２  裏側支持片
１６３，１７３  表側支持片
１８    上端板
１９    下端板
２０    内部ユニット
５      ポール
【図１】
0003179145.tif 000003
【図２】
0003179145.tif 000004
【図３】
0003179145.tif 000005
【図４】
0003179145.tif 000006
【図５】
0003179145.tif 000007
【図６】
0003179145.tif 000008
【図７】
0003179145.tif 000009
【図８】
0003179145.tif 000010